(57)【要約】【課題】ナットと電子装置のネジ山インターフェイス接続装置の間に確実な電気的接続を供給する同軸ケーブル用の接続装置を提供する。【解決手段】内部スリーブの前端は外部フランジ、第一、第二インターフェイス部及び後端の延長部で構成され、ナットの末端に内部フランジを有し、導電接地バネは内部スリーブの第一インターフェイス部とナットの内部フランジ間に設置され、前記バネは内環状部を有し、且つ内部スリーブの第一インターフェイス部辺縁に配置され緊密に連結され、また、シート状の弾性翼部を複数に形成し、内環状部の辺縁から外に湾曲させ、ナットの内部フランジと機械的且つ電気的に結合させる。【選択図】図２
0003160835.tif 000002
【実用新案登録請求の範囲】
【請求項１】
同軸ケーブルを、電子装置のネジ山インターフェイス接続装置に、機械的且つ電気的に連結させる同軸ケーブル用の接続装置において、
その内部スリーブの端が外部フランジ、第一、第二インターフェイス部及び後端の延長部を有する、放射状で間隔を有する同軸内、外部スリーブと
回転方式で電子装置のネジ山インターフェイス接続装置に結合され、末端に内部フランジを有するナットと、
前記内部スリーブの第一インターフェイス部とナットの内部フランジの間に配置される導電接地バネであって、前記バネは、内環状部を有し、且つ内部スリーブの第一インターフェイス部辺縁に配置され緊密に連結され、また、シート状の弾性翼部を複数に形成し、間隔により内環状部の辺縁に形成され、前記弾性翼部は内環状部末端から外へ湾曲させ、ナットの内部フランジと機械的且つ電気的に結合させ、これによってナットと電子装置の間に確実な電気的接続を供給し、同軸ケーブル用の接続装置のナットが完全に電子裝置のネジ山インターフェイス接続装置に固定されると、前記弾性翼部は開放位置から閉鎖位置へと圧縮され、且つナットの内部フランジと内部スリーブの第一インターフェイス部に位置され、ナットと内部スリーブ間を電気的に接続させることを含むことを特徴とする同軸ケーブル用の接続装置。
【請求項２】
前記導電接地バネは、さらに複数の一体成形されるシート状の外部アーク部材と内環状部を含み、彈性翼部と彈性翼部の間に位置され、前記外部アーク部材と内部スリーブの第一インターフェイス部辺縁を密着に結合させることを特徴とする、請求項１に記載の同軸ケーブル用の接続装置。
【考案の詳細な説明】
【技術分野】
【０００１】
本考案は、同軸ケーブル用の接続装置に関する。より詳しくは、好ましい接地効果をもつ同軸ケーブル用の接続装置に関する。
【背景技術】
【０００２】
同軸ケーブル接続装置は、誰もが知っている知識である。典型的な同軸ケーブル接続装置は、ネジ山インターフェイス接続装置をもつ電子装置に接続され、同軸ケーブルと各種電子装置は電気的に一体になる。
【０００３】
従来の同軸ケーブル用の接続装置はいくつかの欠点がある。同軸接続装置の主な作用は、接続装置本体と、インターフェイス接続装置の間に良好な接地接触を保障することである。同軸接続装置の従来技術の問題点は、接続装置本体の接地性の良し悪しに関わってくる。即ち、接続装置本体とインターフェイス接続装置間の接地性である。図１に示すＦ型の接続装置は、従来の接続装置の代表的な実施例である。Ｆ型の接続装置は接続装置本体１０を含み、接続装置本体１０は、外部スリーブ１１と、外部スリーブ１１内に同軸で配置される内部スリーブ１２と、内部スリーブ１２の周囲に配置される回転可能なナット１３とを含む。接続装置本体１０は、同軸ケーブルを電子装置１４のネジ山インターフェイス接続装置１５に、機械的且つ電気的に連結させることができる。
【０００４】
Ｆ型の接続装置本体１０とネジ山インターフェイス接続装置１５は、連結させる上で一つの問題がある。それは、ナット１３をネジ山インターフェイス接続装置１５に完全に連結させることができず、内部スリーブ１２とネジ山インターフェイス接続装置１５の間に、接触していない隙間Ｓが生じ、隙間Ｓによって、接続装置本体１０とネジ山インターフェイス接続装置１５の接地性が悪くなり、電気信号の伝達性能が下がる。従って、その間の接触不良は克服する必要がある。
【０００５】
従って、現在必要とされている接続装置は、接続装置本体とネジ山インターフェイス接続装置の間の接地接触を効果的に且つ長期的に保障し、良好な電気特性を確保することができるものである。
【考案の概要】
【考案が解決しようとする課題】
【０００６】
しかしながら、前述した従来の技術では、Ｆ型の接続装置本体１０とネジ山インターフェイス接続装置１５は、連結させる上で一つの問題がある。それは、ナット１３をネジ山インターフェイス接続装置１５に完全に連結させることができず、内部スリーブ１２とネジ山インターフェイス接続装置１５の間に、接触していない隙間Ｓが生じ、隙間Ｓによって、接続装置本体１０とネジ山インターフェイス接続装置１５の接地性が悪いことといった問題があった。
【０００７】
本考案は、このような従来の問題に鑑みてなされたものである。上記課題解決のため、本考案は、接続装置本体とネジ山インターフェイス接続装置の間の接地接触を効果的に且つ長期的に保障し、良好な電気特性を確保することを提供することを主目的とする。
【課題を解決するための手段】
【０００８】
本考案によれば同軸ケーブルを、電子装置のネジ山インターフェイス接続装置に、機械的且つ電気的に連結させる同軸ケーブル用の接続装置において、その内部スリーブの端が外部フランジ、第一、第二インターフェイス部及び後端の延長部を有する、放射状で間隔を有する同軸内、外部スリーブと回転方式で電子装置のネジ山インターフェイス接続装置に結合され、末端に内部フランジを有するナットと、
前記内部スリーブの第一インターフェイス部とナットの内部フランジの間に配置される導電接地バネであって、前記バネは、内環状部を有し、且つ内部スリーブの第一インターフェイス部辺縁に配置され緊密に連結され、また、シート状の弾性翼部を複数に形成し、間隔により内環状部の辺縁に形成され、前記弾性翼部は内環状部末端から外へ湾曲させ、ナットの内部フランジと機械的且つ電気的に結合させ、これによってナットと電子装置の間に確実な電気的接続を供給し、同軸ケーブル接続装置のナットが完全に電子裝置のネジ山インターフェイス接続装置に固定されると、前記弾性翼部は開放位置から閉鎖位置へと圧縮され、且つナットの内部フランジと内部スリーブの第一インターフェイス部に位置され、ナットと内部スリーブ間を電気的に接続させることを含むことを特徴とする同軸ケーブル用の接続装置が提供される。
【考案の効果】
【０００９】
本考案によれば、接続装置本体とネジ山インターフェイス接続装置の間の接地接触を効果的に且つ長期的に保障し、良好な電気特性を確保するが得られる。
【図面の簡単な説明】
【００１０】
【図１】習知の同軸接続装置と電子装置のネジ山インターフェイス接続装置の未完全結合の断面図である。
【図２】本考案に係る一の同軸ケーブル用の接続装置の立体部分の断面図と、断面図である。
【図３】本考案に係る一の同軸ケーブル用の接続装置の立体部分の断面図と、断面図である。
【図４】本考案に係る一の導電設置バネの立体図と左側を示した説明図である。
【図５】本考案に係る一の導電設置バネの立体図と左側を示した説明図である。
【図６Ａ】本考案に係る一の同軸ケーブル用の接続装置が電子装置のネジ山インターフェイス接続装置に結合する過程の説明図である。
【図６Ｂ】本考案に係る一の同軸ケーブル用の接続装置が電子装置のネジ山インターフェイス接続装置に結合する過程の説明図である。
【考案を実施するための形態】
【００１１】
以下、本考案を実施するための形態について、詳細に説明する。なお、本考案は、以下に説明する実施形態に限定されるものではない。本考案の実施形態に係る同軸ケーブル用の接続装置は、図２、図３で、本考案同軸ケーブル用の接続装置の立体部分断面図と断面図を示す。前記同軸ケーブル用の接続装置２０は放射状で間隔を有する同軸内、同軸方式で同軸ケーブルを受け入れる外部スリーブ２１、２６及び導電設置バネ３０を含む。前記内部スリーブ２１は前端に外部フランジ２２、第一、第二インターフェイス部２３，２４を有し、また後端延長部２５の外径と壁の厚さは第二インターフェイス部２４より小さい。
【００１２】
外部スリーブ２６の端には、外部スリーブ本体２７が内部スリーブ２１の第二インターフェイス部２４上を取り巻き、後端の延長部２８の外径と壁の厚さは外部スリーブ本体２７より小さく、また内部スリーブ２１の後端の延長部２５は同心を取り巻く関係を形成し、中間は環状空心である。同軸ケーブル用の接続装置２０の前端にはナット２９があり、その末端は内部フランジ２９１で、前記内部フランジ２９１は外部フランジ２２と外部スリーブ本体２７の間に挟まれ、また内、外部スリーブ２１、２６間を自由に回転でき、ナット２９の内部は全てネジ山２９２で、外部は六角体で、スパナやその他の工具を使って接続装置を電子装置上に固定することができる。
【００１３】
図４、図５に図示するように、前記導電設置バネ３０は孔部３２をもつ内環状部３１を含み、その直径はバネ３０を内部スリーブ２１の第一インターフェイス部２３の辺縁に配置され緊密に連結することができる。前記導電設置バネ３０はさらに、シート状の弾性翼部３３を等間隔で内環状部３１の辺縁に複数に形成する。前記弾性翼部３３は内環状部３１の辺縁から外に彎曲して、予定角度で解放され、ナット２９の内部フランジ２９１とに機械的且つ電気的な接合（図３に図示）を成し、これによってナット２９と電子装置４０との間に確実な電気接続を提供し、信号伝達の品質と良好な電気特性を確保する。
【００１４】
前記導電設置バネ３０は更に内環状部３１と一体を成すシート状の外部アーク部材３４を複数に形成し、また弾性翼部３３と弾性翼部３３の間に位置する。前記外部アーク部材３４と第一インターフェイス部２３の辺縁は密着に接触される。このように導電設置バネ３０と内部スリーブ２１の間に安定した結合を成す。
【００１５】
図６Ａ、６Ｂは同軸ケーブル用の接続装置２０を電子装置４０に設置する過程を表す。まず、同軸ケーブル用の接続装置を電子装置４０上に固定され、この時、前記ナット２９はまだ完全にネジ山インターフェイス接続装置４１と結合しておらず、前記同軸ケーブル用の接続装置２０は、導電設置バネ３０の弾性翼部３３を利用して、ナット２９と内部スリーブ２１の間に、金属の金属に対する良好な接触を保証する。事実上、前記弾性翼部３３は外に向かって予定角度で解放し、ナット２９の内部スリーブ２１と接触し、図６Ａで示すように、これによってナット２９と電子装置４０の間に確実な電気的接続を提供する。
【００１６】
そして、ナット２９は完全に電子装置４０のネジ山インターフェイス接続装置４１上に固定され、前記内部スリーブ２１の外部フランジ２２とナット２９を接触させ、閉鎖時間、前記導電設置バネ３０の弾性翼部３３は解放位置（図６Ａ）から閉鎖位置（図６Ｂ）へと圧縮され、最後の結合位置は弾性翼部３３をナット２９の内部フランジ２９１と内部スリーブ２１の第一インターフェイス部２３の間に位置させ、これによって、ナット２９と内部スリーブ２１の間に電気的接続を提供する。
【００１７】
上述の実施例は本考案の技術思想及び特徴を説明するためのものにすぎず、当該技術分野を熟知する者に本考案の内容を理解させると共にこれをもって実施させることを目的とし、本考案の特許範囲を限定するものではない。従って、本考案の精神を逸脱せずに行う各種の同様の効果をもつ改良又は変更は、後述の請求項に含まれるものとする。
【符号の説明】
【００１８】
２０    同軸ケーブル用の接続装置
２１    内部スリーブ
２２    外部フランジ
２３    第一インターフェイス部
２４    第二インターフェイス部
２５    後端の延長部
２６    外部スリーブ
２７    内部フランジ
２８    後端の延長部
２９    ナット
２９１  内部フランジ
２９２  ネジ山
３０    導電接地バネ
３１    内環状部
３２    孔部
３３    弾性翼部
３４    外部アーク部材
４０    電子装置
４１    ネジ山インターフェイス接続装置
【図１】
0003160835.tif 000003
【図２】
0003160835.tif 000004
【図３】
0003160835.tif 000005
【図４】
0003160835.tif 000006
【図５】
0003160835.tif 000007
【図６Ａ】
0003160835.tif 000008
【図６Ｂ】
0003160835.tif 000009